(57)【特許請求の範囲】
【請求項１】
カンチレバーフレームと、
前記カンチレバーフレームに設けられ、前記カンチレバーフレームに対して洗浄対象物である靴を連動して移動させるための移動機構と、
前記カンチレバーフレームに設けられ、移動している前記靴に対して、スプレー洗浄を行うためのスプレー機構と、を備える靴用の洗浄アセンブリであって、
前記移動機構は、
前記カンチレバーフレームに回転可能に設けられるターンテーブルと、
前記靴を載置するための載置フレームと、
一端が前記ターンテーブルに偏心して接続され、他端が前記載置フレームに枢動可能に連結されて、前記カンチレバーフレームに対して前記載置フレームを連動して移動させる支持アームと、を備え、
前記カンチレバーフレームは、垂直アームと、前記垂直アームに接続される水平アームと、を含み、
前記移動機構と前記スプレー機構とがいずれも前記水平アームに設けられ、
前記靴の内側を洗浄するとき、前記載置フレームを前記水平アームとともに前記靴の内側に挿入し、前記載置フレームを前記靴の内側の前端に当て、前記靴の左右両側面を前記水平アームの両側に当てることを特徴とする洗浄アセンブリ。
【請求項２】
前記載置フレームは前記靴を第１位置と第２位置との間に連動して移動させることができ、
前記カンチレバーフレームは第１端及び第２端を含み、前記第１位置が前記第１端の所在する一側に近接し、前記第２位置が前記第２端の所在する一側に近接することを特徴とする請求項１に記載の洗浄アセンブリ。
【請求項３】
前記第１位置と前記第２位置とを繋ぐ線は、前記水平アームの長さ方向に平行であることを特徴とする請求項１に記載の洗浄アセンブリ。
【請求項４】
前記スプレー機構は、前記水平アームの上面に固定して設けられることを特徴とする請求項３に記載の洗浄アセンブリ。
【請求項５】
前記スプレー機構は、前記水平アームの上面に固定される複数のスプレーノズルを含むことを特徴とする請求項４に記載の洗浄アセンブリ。
【請求項６】
前記水平アームは、前記垂直アームのトップ部に固定して接続され、及び／又は前記垂直アームと一体成形されることを特徴とする請求項５に記載の洗浄アセンブリ。
【請求項７】
請求項１から６のいずれか一項に記載の洗浄アセンブリを備え、
前記移動機構に接続され、前記移動機構を移動駆動できる駆動機構をさらに備えることを特徴とする靴用洗濯機。
【請求項８】
前記駆動機構に信号接続され、前記移動機構を移動駆動するように前記駆動機構を制御できるコントローラをさらに備えることを特徴とする請求項７に記載の靴用洗濯機。
【発明の詳細な説明】
【技術分野】
【０００１】
本発明は洗濯装置の技術分野に属し、具体的には、洗浄アセンブリ及び靴用洗濯機を提供する。
【背景技術】
【０００２】
靴用洗濯機は靴を洗うための装置であり、市販の靴用洗濯機は一般的に２種類の方法で洗濯を行い、１種類は靴用洗濯機の内筒壁及びパルセーターシャフトにブラシを増設して靴を洗濯し、他の１種類は水を噴出して靴を洗濯し、水噴出による洗濯は、靴への損傷が小さくて済むため、広く使用されている。従来の技術では、水噴出法を使用して靴を洗濯する靴用洗濯機は、一般的に洗浄効果が不良であり、特に靴の内側及び外側を十分に、かつ徹底的に洗浄することはできない。
【０００３】
したがって、上記の問題に対処するために、靴をより完全で徹底的に洗浄することを達成できる洗浄アセンブリや靴用洗濯機が当技術分野で必要とされている。
【発明の概要】
【課題を解決するための手段】
【０００４】
従来の技術における上記の問題を解決するために、即ち、従来の靴用洗濯機が靴を洗濯するには不十分で、かつ徹底的ではないという問題を解決するために、本発明は洗濯アセンブリを提供し、該洗浄アセンブリは、カンチレバーフレームと、前記カンチレバーフレームに設けられ、前記カンチレバーフレームに対して洗浄対象物を連動して移動させるための移動機構と、前記カンチレバーフレームに設けられ、移動している洗浄対象物に対してスプレー洗浄を行うためのスプレー機構と、を備える。
【０００５】
上記洗浄アセンブリの好ましい態様において、前記移動機構は、前記カンチレバーフレームに回転可能に設けられるターンテーブルと、洗浄対象物を載置するための載置フレームと、一端が前記ターンテーブルに偏心して接続され、他端が前記載置フレームに枢動可能に連結され、前記カンチレバーフレームに対して前記載置フレームを移動させるための支持アームと、を含む。
【０００６】
上記洗浄アセンブリの好ましい態様において、前記載置フレームは第１位置と第２位置との間に洗浄対象物を連動して移動させ、前記カンチレバーフレームは第１端及び第２端を含み、前記第１位置が前記第１端の所在する一側に近接し、前記第２位置が前記第２端の所在する一側に近接する。
【０００７】
上記洗浄アセンブリの好ましい態様において、前記カンチレバーフレームは垂直アーム及び前記垂直アームに接続される水平アームを含み、前記移動機構及び前記スプレー機構がいずれも前記水平アームに設けられている。
【０００８】
上記洗浄アセンブリの好ましい態様において、前記第１位置と前記第２位置とを繋ぐ線は、前記水平アームの長さ方向に平行である。
【０００９】
上記洗浄アセンブリの好ましい態様において、前記スプレー機構は、前記水平アームの上面に固定して設けられる。
【００１０】
上記洗浄アセンブリの好ましい態様において、前記スプレー機構は、前記水平アームの上面に固定される複数のスプレーノズルを含む。
【００１１】
上記洗浄アセンブリの好ましい態様において、前記水平アームは、前記垂直アームのトップ部に固定接続され、及び／又は前記垂直アームと一体成形される。
【００１２】
本発明は靴用洗濯機を提供し、前記靴用洗濯機が上記いずれか１つの態様に記載の洗浄アセンブリを含み、前記靴用洗濯機が前記移動機構に接続され、前記移動機構を移動駆動できる駆動機構をさらに備える。
【００１３】
上記靴用洗濯機の好ましい態様において、前記靴用洗濯機は前記駆動機構に信号接続されるコントローラをさらに備え、前記コントローラが、前記移動機構を移動駆動するように前記駆動機構を制御する。
【発明の効果】
【００１４】
本発明の態様において、靴を移動機構に置いて、移動機構の駆動によってカンチレバーフレームに対して靴を移動させることができ、その結果、カンチレバーフレームに配置されたスプレー機構が靴の内側又は外側をより十分に、かつ徹底的に洗浄でき、洗浄効果を向上させたことは当業者には理解されたい。
【図面の簡単な説明】
【００１５】
【図１】本発明の洗浄アセンブリの概略構造図である。
【図２】本発明の洗浄アセンブリの正面図である。
【図３】本発明の洗浄アセンブリの平面図である。
【発明を実施するための形態】
【００１６】
以下、添付図面を参照しながら、本発明の好適な実施形態を説明する。当業者は、これらの実施形態が本発明の技術的原理を説明するためにのみ使用され、本発明の保護範囲を限定することを意図しないことを理解すべきである。例えば、本願は靴用洗濯機に関連して説明されているが、これは限定的なものではなく、本発明の洗浄アセンブリの技術的解決手段が他の洗浄装置にも適用でき、このような適用対象の変更が本発明の原理及び範囲から逸脱しない。
【００１７】
なお、本発明の説明において、「中心」、「上」、「下」、「左」、「右」、「垂直」、「水平」、「内側」、「外側」などの用語で示される方向又は位置関係は、図面に示される方向又は位置関係に基づくものであり、説明の簡単化のために過ぎず、示される装置又は要素が特定方位を有したり、特定方位で構成又は操作されたりすることを指示又は示唆するものではなく、よって、本発明に対する限定としては理解されない。また、「第１」及び「第２」「第３」は説明のみを目的として使用されており、相対的な重要性を指示又は示唆するものとして解釈されるべきではない。
【００１８】
また、本発明の説明において、明確に指定又は限定しない限り、「取り付け」、「連結」、「接続」という用語は、広義で理解すべきであり、たとえば、固定接続してもよく、取り外し可能に接続してもよく、又は一体に接続してもよく、機械的又は電気的に接続してもよく、直接接続してもよく、中間媒体を介した間接的に接続してもよく、２つの要素の内部が連通してもよい。当業者であれば、具体的な状況に応じて上記用語の本願における具体的な意味を理解し得る。
【００１９】
背景技術で提出された、靴用洗濯機が靴を洗浄するには不十分で、かつ徹底的ではないという問題に基づいて、本発明は、靴用洗濯機の洗浄効果を改善するための洗浄アセンブリを提供し、それにより、靴用洗濯機は、スプレー洗浄を行うときに、靴の内側及び外側をより十分に、かつ徹底的に洗浄することができる。
【００２０】
図１は本発明の洗浄アセンブリの概略構造図であり、図２は本発明の洗浄アセンブリの正面図であり、図３は本発明の洗浄アセンブリの平面図である。図１から図３に示すように、本発明の洗浄アセンブリは、カンチレバーフレームと、前記カンチレバーフレームに設けられ、前記カンチレバーフレームに対して、洗浄対象物、即ち靴を移動させるための移動機構と、前記カンチレバーフレームに設けられ、移動している靴を洗浄するためのスプレー機構１とを含む。
【００２１】
好ましくは、前記カンチレバーフレームは、垂直アーム５及び前記垂直アーム５と接続される水平アーム６を含み、前記移動機構及び前記スプレー機構１もまた前記水平アーム６に設けられる。
【００２２】
好ましくは、前記移動機構は、前記水平アーム６に回転可能に設けられるターンテーブル２と、洗浄対象物、即ち靴を載置するための載置フレーム３と、一端が前記ターンテーブル２に偏心して枢動可能に連結され、他端が前記載置フレーム３と枢動可能にヒンジ連結されて、前記水平アーム６に対して前記載置フレーム３を移動させる支持アーム４とを含む。靴の内側を洗浄するとき、載置フレーム３を水平アーム６とともに靴の内側に挿入し、載置フレーム３を靴内側の前端に当てて、靴内の左右両側面を前記水平アーム６の両側に当てて、前記ターンテーブル２を回転させ、前記支持アーム４の一端を回転させ、水平アーム６により靴の両側に対し、位置制限の役割を果たすため、前記支持アーム４の他端が前記載置フレーム３を水平方向に往復移動させ、これにより、靴の内側を繰り返して洗浄することができる。靴の外側を洗浄するとき、靴を前記載置フレーム３に直接的に固定させ、靴の外側を前記スプレー機構１に向け、前記ターンテーブル２を回転させ、前記載置フレーム３が前記支持アーム４の駆動により、前記水平アーム６に対して円弧状の軌跡で移動し、それにより、スプレー機構１が靴の外側を繰り返して洗浄することができる。上記２種類の洗浄方法により、それぞれ靴の内側及び外側を選択的に洗浄し、かつより十分に、かつ徹底的に洗浄することができ、洗浄効果を向上させた。
【００２３】
上記構造において、前記載置フレーム３と靴との位置決め効果を向上させるために、前記載置フレーム３はＵ字形ロッド及びストレートロッドからなり、Ｕ字形ロッドの両端がそれぞれストレートロッドの両端と固定接続され、かつ一体成形され、前記支持アーム４がストレートロッドの中部とヒンジ連結され、Ｕ字形ロッドの構造により、前記載置フレーム３と靴内側の前端とを一致させ、固定効果を向上させる。
【００２４】
なお、上記構造により、前記載置フレーム３は靴を第１位置と第２位置との間に移動させることができる。前記カンチレバーフレームは第１端６１（図２の右端）及び第２端６２（図２の左端）を含み、前記第１位置が前記第１端６１所在の一側に近接し、前記第２位置が前記第２端６２所在の一側に近接する。前記第１端６１及び前記第２端６２は、前記カンチレバーフレームの水平長さ方向上の両端であり、それにより、前記第１位置と前記第２位置との間の前記載置フレーム３の移動距離をより長くし、前記スプレー機構１のスプレーすすぎを容易にする。さらに、靴の内側を洗浄するとき、載置フレーム３が水平アーム６の第１端６１とともに靴の内側に伸びる。また、上記移動機構はさらに他の構造の移動機構を採用してもよく、ここで繰り返して説明しない。
【００２５】
上記構造において、前記第１位置は、前記載置フレーム３が前記ターンテーブル２の中心から最も遠い位置であり、前記第２位置は、前記載置フレーム３が前記ターンテーブル２の中心に最も近い位置である。構造全体の配置を容易にするために、前記第１位置と前記第２位置を繋ぐ線は前記水平アーム６の長手方向に平行であり、前記第１位置と前記第２位置との間の距離は前記ターンテーブル２の直径以下である。
【００２６】
靴の洗浄範囲をさらに広げるためには、前記第１位置と前記第２位置との間の距離を大きくする必要があり、このため、前記支持アーム４と前記ターンテーブル２との接続位置を前記ターンテーブル２の縁部に可能な限り近づけることができる。
【００２７】
好ましくは、前記スプレー機構１は前記水平アーム６に固定接続され、かつ、前記第１端６１に近接する。したがって、前記スプレー機構１は靴をスプレー洗浄しやすく、前記スプレー機構１はスプレーヘッド、ポンプ及びタンクにより構成されてもよく、スプレーヘッドが前記水平アーム６に固定され、スプレーヘッドがポンプを介してタンクと接続され、ポンプがタンク内の水を引いてスプレーヘッドに送り込んで、靴に対するスプレー洗浄を実現する。
【００２８】
好ましくは、前記スプレー機構１は複数のスプレーノズルを含み、複数の前記スプレーノズルが前記水平アーム６にマトリックス状に配置され、前記スプレーノズルがマトリックス状に設けられて、靴の洗浄面積を増加させ、洗浄には死角がなく、靴の内側及び外側をより十分に、かつ徹底的に洗浄することができる。無論、マトリックス状のレイアウトは単なる例示的であり、前記スプレーノズルは他の適切な方法でレイアウトすることもできる。
【００２９】
好ましくは、前記水平アーム６は前記垂直アーム５のトップ部に固定接続されかつ前記垂直アーム５と一体成形され、一体成形構造を採用して金型の設計、製造が容易になる。
【００３０】
また、本発明はさらに靴用洗濯機を提供し、該靴用洗濯機は上記いずれか一項に記載の洗浄アセンブリを含む。上記洗浄アセンブリにより、靴の内側及び外側をより十分に、かつ徹底的に洗浄することができ、洗浄効果がよい。
【００３１】
図示されていないが、前記移動機構の駆動を達成するために、靴用洗濯機は前記移動機構と接続される駆動機構をさらに含み、前記駆動機構が前記移動機構を移動させ、特にターンテーブル２を回転させることができる。具体的には、ギヤードモータの駆動によって前記ターンテーブル２が回転されることで、前記ターンテーブル２の回転を達成することができる。
【００３２】
さらに、靴用洗濯機は、前記駆動機構と信号接続されるコントローラをさらに含み、前記コントローラは前記移動機構を移動させるように前記駆動機構を制御し、信号接続が電気的接続又は無線接続であってもよい。
【００３３】
これまで、本発明の技術的解決手段は、図面に示される好ましい実施形態と併せて説明されてきたが、明らかに、本発明の保護範囲がこれらの特定の実施形態に限定されないことは当業者には容易に理解される。当業者であれば、本発明の原理から逸脱することなく、関連する技術的特徴に対して同等の変更又は置換を行うことができ、これらの修正又は置換後の技術的解決手段も本発明の保護範囲内にある。
【図１】
0006963027.tif 000002
【図２】
0006963027.tif 000003
【図３】
0006963027.tif 000004